(57)【要約】【課題】外部電源から延びるコネクタの抜き差し方向の自由度を高めつつ、安価でかつ小型化できる電動機、電動ポンプ、及びコネクタ製造方法を提供する。【解決手段】コネクタ部６０のハウジング接続口６２は、コネクタ側インロー部６７と、コネクタ側インロー部６７と同軸上で、かつ同一面上に形成されたコネクタ側シール部６６と、を有し、ハウジング１１のコネクタ接続口４８は、コネクタ側インロー部６７と当接するように嵌合されるハウジング側インロー部５４と、ハウジング側インロー部５４と同軸上で、かつハウジング側インロー部５４と段差部５６を介して形成され、コネクタ側シール部６６と所定の隙間を開けて径方向で対向するハウジング側シール部５５と、を有し、コネクタ側シール部６６とハウジング側シール部５５との間に、Ｏリング５７が配置されている。【選択図】図７
2020187927.tif 000002
【特許請求の範囲】
【請求項１】
ベース部、及び前記ベース部から突出された筒状のハウジング接続口を有するコネクタと、
前記ハウジング接続口が嵌合される筒状のコネクタ接続口を有するハウジングと、
前記ハウジング接続口と前記コネクタ接続口との間をシールするシール部材と、
を備え、
前記ハウジング接続口は、
コネクタ側インロー部と、
前記コネクタ側インロー部と同軸上で、かつ同一面上に形成されたコネクタ側シール部と、
を有し、
前記コネクタ接続口は、
前記コネクタ側インロー部と当接するように嵌合されるハウジング側インロー部と、
前記ハウジング側インロー部と同軸上で、かつ前記ハウジング側インロー部と段差部を介して形成され、前記コネクタ側シール部と所定の隙間を開けて径方向で対向するハウジング側シール部と、
を有し、
前記コネクタ側シール部と前記ハウジング側シール部との間に、前記シール部材が配置されている
ことを特徴とする電動機。
【請求項２】
前記コネクタ接続口の径方向内側に前記ハウジング接続口が嵌合されており、
前記ハウジング側シール部は、前記ハウジング側インロー部に対して前記段差部を介して拡径形成されており、
前記コネクタ側シール部の外側面と前記ハウジング側シール部の内側面との間に前記シール部材が配置されている
ことを特徴とする請求項１に記載の電動機。
【請求項３】
前記コネクタは、前記ベース部における前記ハウジング接続口の外側面よりも外側から延出形成され、前記ハウジングに前記コネクタを固定するための脚部を少なくとも１つ有し、
前記脚部は、
前記ハウジングに当接する脚部側当接面と、
前記脚部側当接面を貫通するように形成され、固定部材が挿通される貫通孔と、
を有し、
前記ハウジングは、
前記脚部側当接面が当接されるハウジング側当接面と、
前記ハウジング側当接面に形成され、前記固定部材が固定される固定穴と、
を有し、
前記コネクタ接続口は、前記ハウジング側当接面から突出されており、前記ハウジング側インロー部を挟んで前記ハウジング側当接面とは反対側に前記ハウジング側シール部が配置されている
ことを特徴とする請求項２に記載の電動機。
【請求項４】
前記脚部側当接面と、前記コネクタ側インロー部における前記コネクタ側シール部とは反対側の端部と、の間の距離をＬａとし、
前記ハウジング側当接面と、前記コネクタ接続口の先端と、の間の距離をＬｂとしたとき、
前記距離Ｌａ，Ｌｂは、
Ｌａ＜Ｌｂ
を満たしている
ことを特徴とする請求項３に記載の電動機。
【請求項５】
前記脚部は、前記コネクタ接続口の軸方向と直交する径方向で前記コネクタ接続口と対向する内側面に突出された少なくとも１つの位置決めリブを有し、
前記コネクタ接続口は、前記脚部の前記内側面と前記径方向で対向する外側面に平坦面を有し、
前記平坦面に前記位置決めリブが当接されている
ことを特徴とする請求項３又は請求項４に記載の電動機。
【請求項６】
前記コネクタは、外部コネクタが接続される外部コネクタ接続部を有し、
前記外部コネクタ接続部は、
前記ベース部から前記ハウジング接続口と同軸上に延びる首部と、
前記首部から前記ハウジング接続口の軸方向と交差する方向に延出され前記外部コネクタが接続される外部コネクタ接続口と、
前記首部と前記ベース部とに跨るように形成された補強リブと、
を備えている
ことを特徴とする請求項１から請求項５のいずれか１項に記載の電動機。
【請求項７】
前記ハウジング接続口は、前記ハウジング接続口及び前記コネクタ接続口の軸方向と交差するコネクタ側接続面を有するコネクタ側端子を備え、
前記コネクタ接続口は、前記軸方向と交差し、かつ前記コネクタ側接続面と当接されるハウジング側接続面を有するハウジング側端子を備え、
前記コネクタ側端子及び前記ハウジング側端子の少なくともいずれか一方は、
前記軸方向に沿う端子本体と、
前記端子本体の先端から屈曲延出され、かつ先端に向かうに従って前記端子本体から離間する方向に傾倒する舌片部と、
を有し、
前記舌片部は、前記コネクタ側接続面及び前記ハウジング側接続面のいずれかを有し、
前記コネクタ側接続面及び前記ハウジング側接続面は、前記端子本体側が開口するように前記コネクタ側接続面及び前記ハウジング側接続面との間に角度を有して配置されている
ことを特徴とする請求項１から請求項６のいずれか１項に記載の電動機。
【請求項８】
前記コネクタは樹脂により形成されており、
前記コネクタは、
コネクタ側端子と、
前記コネクタ側端子の少なくとも一部が埋設されたプリモールド体と、
前記プリモールド体が埋設され、前記コネクタ側端子が露出された前記ベース部と、
を備えた
ことを特徴とする請求項１から請求項７のいずれか１項に記載の電動機。
【請求項９】
前記プリモールド体は、
前記コネクタ側端子が埋設された板状の本体部と、
前記本体部の一面に突出され、前記一面の法線方向からみてＴ字状の乱流発生凸部と、
を有する
ことを特徴とする請求項８に記載の電動機。
【請求項１０】
請求項１から請求項９のいずれか１項に記載の電動機と、
前記電動機に連結され、前記電動機によって駆動されるポンプ部と、
を備え、
前記電動機は、前記ハウジング内に収納され前記ハウジング接続口を介して給電を行うための給電端子が設けられたモータ部を有し、
前記モータ部と前記ポンプ部とが連結されている
ことを特徴とする電動ポンプ。
【請求項１１】
ハウジングの第１面と対向する第２面を有するベース部と、
前記ベース部の前記第２面から突出された筒状のハウジング接続口と、
前記ベース部に埋設されるプリモールド体と、
前記プリモールド体に埋設され、前記ハウジング接続口に一部が露出されるコネクタ側端子と、
を備え、
前記ハウジングの前記第１面に形成された筒状のコネクタ接続口の内側面に前記ハウジング接続口の外側面が嵌合されるコネクタのコネクタ製造方法であって、
金型に前記コネクタ側端子が埋設された前記プリモールド体をセットし、前記ベース部の前記第２面が前記金型のパーティングラインとなるように前記ベース部を成形する
ことを特徴とするコネクタ製造方法。
【発明の詳細な説明】
【技術分野】
【０００１】
本発明は、電動機、電動ポンプ、及びコネクタ製造方法に関する。
【背景技術】
【０００２】
電動モータ等の電動機に給電を行うために、電動機に端子を設け、この端子と外部電源から延びるコネクタとを接続させる場合がある。この接続させる構造として、電動機が収納されているハウジングに電源側コネクタ差込用孔を設け、この電源側コネクタ差込用孔に端子を露出させる場合がある。外部電源から延びるコネクタの端子は、電源側コネクタ差込用孔にコネクタを差し込むことにより、電動機の端子と接続される。
【０００３】
ここで、電源側コネクタ差込用孔に露出している端子、この端子に接続されるコネクタの端子の接続箇所は、コネクタの抜き差し方向と平行に延びている。このため、電源側コネクタ差込用孔にコネクタを差し込むことができ、電動機の端子とコネクタの端子とを接続できる。つまり、電動機の端子とコネクタの端子とを接続させる方向とコネクタの抜き差し方向とが一致している。また、このような場合、電源側コネクタ差込用孔の内側面とコネクタの外側面との間にＯリング等のシール部材を設けるなど、簡素な構造で電源側コネクタ差込用孔とコネクタとの間のシール性を確保できる。
【先行技術文献】
【特許文献】
【０００４】
【特許文献１】特開昭６３−１５５２７６号公報
【発明の概要】
【発明が解決しようとする課題】
【０００５】
ところで、レイアウトの制約上、電動機の端子とコネクタの端子との接続方向と、コネクタの抜き差し方向とを交差させたい場合がある。このような場合、ハウジングの設計変更が必要になりコストがかかる可能性があった。
【０００６】
また、例えば、外部電源から延びるコネクタとは別に、このコネクタが装着可能なアダプタ用コネクタを設け、このアダプタ用コネクタをハウジングに取り付けることも考えられる。この場合、ハウジングとアダプタ用コネクタとの間のシール性を確保するために、ハウジング及びアダプタ用コネクタが大型化してしまう可能性があった。つまり、電動機の端子とコネクタの端子との接続方向と、コネクタの抜き差し方向とが交差しているので、コネクタの抜き差しの際にかかる荷重によってハウジングとアダプタ用コネクタとの間のシール性が損なわれてしまう可能性がある。このシール性を損なわないためにハウジング及びアダプタ用コネクタの接合強度を高めようとすると、ハウジング及びアダプタ用コネクタが大型化してしまう可能性があった。
【０００７】
そこで、本発明は、外部電源から延びるコネクタの抜き差し方向の自由度を高めつつ、安価でかつ小型化できる電動機、電動ポンプ、及びコネクタ製造方法を提供する。
【課題を解決するための手段】
【０００８】
上記の課題を解決するために、本発明に係る電動機は、ベース部、及び前記ベース部から突出された筒状のハウジング接続口を有するコネクタと、前記ハウジング接続口が嵌合される筒状のコネクタ接続口を有するハウジングと、前記ハウジング接続口と前記コネクタ接続口との間をシールするシール部材と、を備え、前記ハウジング接続口は、コネクタ側インロー部と、前記コネクタ側インロー部と同軸上で、かつ同一面上に形成されたコネクタ側シール部と、を有し、前記コネクタ接続口は、前記コネクタ側インロー部と当接するように嵌合されるハウジング側インロー部と、前記ハウジング側インロー部と同軸上で、かつ前記ハウジング側インロー部と段差部を介して形成され、前記コネクタ側シール部と所定の隙間を開けて径方向で対向するハウジング側シール部と、を有し、前記コネクタ側シール部と前記ハウジング側シール部との間に、前記シール部材が配置されていることを特徴とする。
【０００９】
上記構成において、前記コネクタ接続口の径方向内側に前記ハウジング接続口が嵌合されており、前記ハウジング側シール部は、前記ハウジング側インロー部に対して前記段差部を介して拡径形成されており、前記コネクタ側シール部の外側面と前記ハウジング側シール部の内側面との間に前記シール部材が配置されてもよい。
【００１０】
上記構成において、前記コネクタは、前記ベース部における前記ハウジング接続口の外側面よりも外側から延出形成され、前記ハウジングに前記コネクタを固定するための脚部を少なくとも１つ有し、前記脚部は、前記ハウジングに当接する脚部側当接面と、前記脚部側当接面を貫通するように形成され、固定部材が挿通される貫通孔と、を有し、前記ハウジングは、前記脚部側当接面が当接されるハウジング側当接面と、前記ハウジング側当接面に形成され、前記固定部材が固定される固定穴と、を有し、前記コネクタ接続口は、前記ハウジング側当接面から突出されており、前記ハウジング側インロー部を挟んで前記ハウジング側当接面とは反対側に前記ハウジング側シール部が配置されてもよい。
【００１１】
上記構成において、前記脚部側当接面と、前記コネクタ側インロー部における前記コネクタ側シール部とは反対側の端部と、の間の距離をＬａとし、前記ハウジング側当接面と、前記コネクタ接続口の先端と、の間の距離をＬｂとしたとき、前記距離Ｌａ，Ｌｂは、Ｌａ＜Ｌｂを満たしてもよい。
【００１２】
上記構成において、前記脚部は、前記コネクタ接続口の軸方向と直交する径方向で前記コネクタ接続口と対向する内側面に突出された少なくとも１つの位置決めリブを有し、前記コネクタ接続口は、前記脚部の前記内側面と前記径方向で対向する外側面に平坦面を有し、前記平坦面に前記位置決めリブが当接されてもよい。
【００１３】
上記構成において、前記コネクタは、外部コネクタが接続される外部コネクタ接続部を有し、前記外部コネクタ接続部は、前記ベース部から前記ハウジング接続口と同軸上に延びる首部と、前記首部から前記ハウジング接続口の軸方向と交差する方向に延出され前記外部コネクタが接続される外部コネクタ接続口と、前記首部と前記ベース部とに跨るように形成された補強リブと、を備えてもよい。
【００１４】
上記構成において、前記ハウジング接続口は、前記ハウジング接続口及び前記コネクタ接続口の軸方向と交差するコネクタ側接続面を有するコネクタ側端子を備え、前記コネクタ接続口は、前記軸方向と交差し、かつ前記コネクタ側接続面と当接されるハウジング側接続面を有するハウジング側端子を備え、前記コネクタ側端子及び前記ハウジング側端子の少なくともいずれか一方は、前記軸方向に沿う端子本体と、前記端子本体の先端から屈曲延出され、かつ先端に向かうに従って前記端子本体から離間する方向に傾倒する舌片部と、を有し、前記舌片部は、前記コネクタ側接続面及び前記ハウジング側接続面のいずれかを有し、前記コネクタ側接続面及び前記ハウジング側接続面は、前記端子本体側が開口するように前記コネクタ側接続面及び前記ハウジング側接続面との間に角度を有して配置されてもよい。
【００１５】
上記構成において、前記コネクタは樹脂により形成されており、前記コネクタは、コネクタ側端子と、前記コネクタ側端子の少なくとも一部が埋設されたプリモールド体と、前記プリモールド体が埋設され、前記コネクタ側端子が露出された前記ベース部と、を備えてもよい。
【００１６】
上記構成において、前記プリモールド体は、前記コネクタ側端子が埋設された板状の本体部と、前記本体部の一面に突出され、前記一面の法線方向からみてＴ字状の乱流発生凸部と、を有してもよい。
【００１７】
本発明に係る電動ポンプは、上記に記載の電動機と、前記電動機に連結され、前記電動機によって駆動されるポンプ部と、を備え、前記電動機は、前記ハウジング内に収納され前記ハウジング接続口を介して給電を行うための給電端子が設けられたモータ部を有し、前記モータ部と前記ポンプ部とが連結されていることを特徴とする。
【００１８】
本発明に係るコネクタ製造方法は、ハウジングの第１面と対向する第２面を有するベース部と、前記ベース部の前記第２面から突出された筒状のハウジング接続口と、前記ベース部に埋設されるプリモールド体と、前記プリモールド体に埋設され、前記ハウジング接続口に一部が露出されるコネクタ側端子と、を備え、前記ハウジングの前記第１面に形成された筒状のコネクタ接続口の内側面に前記ハウジング接続口の外側面が嵌合されるコネクタのコネクタ製造方法であって、金型に前記コネクタ側端子が埋設された前記プリモールド体をセットし、前記ベース部の前記第２面が前記金型のパーティングラインとなるように前記ベース部を成形することを特徴とする。
【発明の効果】
【００１９】
本発明によれば、簡素な構造でハウジング接続口とコネクタ接続口との嵌合強度を確保しつつ、省スペースでハウジング接続口とコネクタ接続口とのシール性を確保できる。このため、例えば、コネクタのハウジング接続口とは反対側に外部のコネクタを装着する場合、この外部のコネクタの抜き差し方向と、ハウジング接続口とコネクタ接続口との嵌合方向が交差している場合であっても、電動機や電動ポンプを小型化できる。
【図面の簡単な説明】
【００２０】
【図１】本発明の実施形態における電動ポンプのポンプ部と制御装置とを断面とした側面図。
【図２】本発明の実施形態におけるブラケットをポンプケース側からみた斜視図。
【図３】本発明の実施形態におけるハウジングを開口部側からみた斜視図。
【図４】本発明の実施形態における下方からみたコネクタ部の斜視図。
【図５】本発明の実施形態における上方からみたコネクタ部の斜視図。
【図６】本発明の実施形態におけるコネクタ側端子ユニットの斜視図。
【図７】図１のＡ−Ａ線に沿う断面図。
【図８】本発明の実施形態におけるコネクタ部の成形方法の説明図。
【図９】本発明の実施形態におけるハウジング側端子とコネクタ側端子とが接続されるまでの経過を示す説明図。
【発明を実施するための形態】
【００２１】
次に、本発明の実施形態を図面に基づいて説明する。
【００２２】
（電動ポンプ）
図１は、電動ポンプ１のポンプ部３と制御装置５とを断面とした側面図である。
電動ポンプ１は、例えば図示しない自動車に搭載されているミッション等の油圧装置にオイルを供給するためのものである。
図１に示すように、電動ポンプ１は、オイルＯが貯留されているオイルタンクＴの内部に配置されている。電動ポンプ１は、モータ装置（請求項における電動機に相当）２と、モータ装置２と一体化され、モータ装置２によって駆動されるポンプ部３と、を備えている。
【００２３】
（モータ装置）
モータ装置２は、モータ部４と、モータ部４と一体的に設けられモータ部４を駆動させるための制御装置５と、を備えている。モータ部４は、いわゆるブラシレスモータである。モータ部４は、有底筒状のモータケース６と、モータケース６の内部に収納された図示しないステータと、ステータに対して回転自在に支持されたロータ１１０と、を備えている。ロータ１１０の回転軸１１１は、ポンプ部３と制御装置５とに回転自在に支持されている。回転軸１１１における制御装置５側の一端１１１ａには、センサマグネット４１が設けられている。センサマグネット４１は、制御装置５に設けられた後述の回転位置検出センサ４３の一方を構成している。
【００２４】
モータケース６は、例えばアルミダイキャストで成形されている。モータケース６の軸方向は、回転軸１１１の回転軸線Ｃと一致している。電動ポンプ１は、回転軸１１１の回転軸線Ｃが水平方向に沿う向きでオイルタンクＴの内部に配置されている。そして、モータ装置２の一部（図１では回転軸線Ｃを中心に略下半分）が、オイルＯに浸漬されている。
なお、以下の説明では、回転軸線Ｃ方向を単に軸方向と称し、ロータ１１０（回転軸１１１）の回転方向を周方向と称し、軸方向及び周方向に直交する方向を径方向と称する。また、以下の説明では、オイルタンクＴに電動ポンプ１を配置した向きで水平方向と平行で、かつ軸方向と直交する方向をＸ方向、上下方向と一致する方向をＹ方向などと表現する場合がある。
【００２５】
（ポンプ部）
ポンプ部３は、モータケース６の底部６ａに一体成形されたブラケット２１と、ブラケット２１のモータケース６とは反対側に取り付けられている略円筒状のポンプケース２２と、ポンプケース２２内に収納されているポンプロータ部２３と、ポンプケース２２をブラケット２１とは反対側から覆うポンプカバー２４と、を備えている。
【００２６】
図２は、ブラケット２１をポンプケース２２側からみた斜視図である。
図１、図２に示すように、ブラケット２１の径方向中央には、軸方向に貫通する貫通孔２５が形成されている。この貫通孔２５に回転軸１１１が挿通されている。回転軸１１１の他端１１１ｂは、ブラケット２１の貫通孔２５を介してポンプケース２２側に突出されている。
ブラケット２１のモータケース６側には、貫通孔２５の周囲を取り囲み、かつ貫通孔２５に連通されたシール収納凹部２６が形成されている。このシール収納凹部２６には、オイルシール２７が設けられている。オイルシール２７は、貫通孔２５と回転軸１７との隙間を介してモータ装置２側にオイルが侵入してしまうことを防止するためのものである。
【００２７】
ブラケット２１には、貫通孔２５よりも径方向外側に吸入ポート２８及び吐出ポート２９が形成されている。吸入ポート２８及び吐出ポート２９は、貫通孔２５を中心に径方向で振り分け配置されている。吸入ポート２８には、オイルＯが貯留されているオイルタンクＴのオイルＯが吸入される。吐出ポート２９は、吸入ポート２８から吸入されたオイルＯがポンプ部３を介して吐出される。吐出ポート２９は、図示しない配管を介してミッション等の油圧装置に接続されている。
【００２８】
ブラケット２１のポンプケース２２側の端面２１ａは、ポンプケース２２及びポンプロータ部２３と協働して、ポンプケース２２及びポンプロータ部２３とブラケット２１との間からオイルが漏出されるのを抑制するシール面となる。ポンプケース２２側の端面２１ａには、周方向に沿う略半円状の吸入油路３１及び吐出油路３２が形成されている。吸入油路３１と吐出油路３２とは、貫通孔２５を中心に振り分け配置されている。吸入油路３１は、吸入ポート２８に連通されている。吐出油路３２は、吐出ポート２９に連通されている。
【００２９】
また、ブラケット２１の端面２１ａには、貫通孔２５と吸入油路３１とを連通するバイパス溝３３が形成されている。バイパス溝３３により、貫通孔２５と回転軸１７との間のオイルＯが吸入油路３１へと導かれる。
また、ブラケット２１の端面２１ａには、この端面２１ａとポンプケース２２との間のシール性を高めるためのＯリング溝３４が形成されている。このＯリング溝３４に図示しないＯリングを装着することにより、ブラケット２１とポンプケース２２との間のシール性が確実に確保される。
【００３０】
この他、ブラケット２１には、外周面に、３つのボルト座３５が周方向に等間隔で形成されている。各ボルト座３５には、雌ネジ部３５ａが刻設されている。ボルト座３５は、ブラケット２１にポンプケース２２とポンプカバー２４とを締結固定するためのものである。
【００３１】
図１に示すように、ポンプケース２２は、例えばアルミダイキャストにより形成されている。ポンプケース２２の径方向内側は、ポンプ室３６とされている。
ポンプケース２２内に収納されているポンプロータ部２３は、ポンプケース２２の内周面に回転自在に嵌合されているポンプアウタロータ３７と、ポンプアウタロータ３７の径方向内側に設けられたポンプインナロータ３８と、を備えている。ポンプインナロータ３８は、ポンプアウタロータ３７に対して偏心した状態で回転自在に配置されている。このようなポンプインナロータ３８に、回転軸１１１の他端１１１ｂが固定されている。
【００３２】
このような構成のもと、ポンプアウタロータ３７とポンプインナロータ３８とにより、いわゆるトロコイド式ポンプが構成されている。すなわち、ポンプアウタロータ３７の図示しない内歯と、ポンプインナロータ３８の図示しない外歯とにより形成される空間の容積を変化させることで、オイルＯを吸引して吸引したオイルＯを吐出する作動室３９が形成されている。作動室３９において、ブラケット２１、ポンプアウタロータ３７、ポンプインナロータ３８、及びポンプカバー２４により囲まれた空間は、容積変化室３９ａ，３９ｂとして構成されている。
【００３３】
容積変化室３９ａ，３９ｂのうち、吸入油路３１に対応する容積変化室３９ａは、吸入油路３１に連通されている。容積変化室３９ａ，３９ｂのうち、吐出油路３２に対応する容積変化室３９ｂは、吐出油路３２に連通されている。これにより、吸入ポート２８から吸入されたオイルＯが、吸入油路３１、容積変化室３９ａ、容積変化室３９ｂ、及び吐出油路３２を経て吐出ポート２９から圧送される。
【００３４】
ポンプケース２２の外周面及びポンプカバー２４には、図示しないボルト挿通孔が形成されている。これらボルト挿通孔にポンプカバー２４のポンプケース２２とは反対側から図示しないボルトが挿通され、このボルトがブラケット２１の雌ネジ部３５ａに螺入される。これにより、ブラケット２１にポンプケース２２及びポンプカバー２４が共締めされる。
【００３５】
（制御装置）
制御装置５は、制御部４０と、制御部４０の一側に設けられたコネクタ部（請求項におけるコネクタに相当）６０と、を備えている。
制御部４０は、モータケース６の開口部６ｂに一体成形された制御ケース７と、制御ケース７内に収納されたホルダ８と、ホルダ８とモータ部４との間に配置され、ホルダ８に支持された回路基板９と、を備えている。ポンプ部３、モータ部４、及び制御装置５は、軸方向に並んで配置されている。
【００３６】
回路基板９には、ＦＥＴ（Ｆｉｅｌｄ  Ｅｆｆｅｃｔ  Ｔｒａｎｓｉｓｔｏｒ：電界効果トランジスタ）等のスイッチング素子、チョークコイル（いずれも図示しない）、及びコンデンサ１８が実装されている。スイッチング素子は、モータ部４の図示しないコイルに供給する電流を制御する。チョークコイルやコンデンサ１８は、雑防素子として機能する。
また、回路基板９には、回転軸１１１の一端１１１ａと軸方向で対向する位置に、磁気検出素子４２が実装されている。磁気検出素子４２は、回転軸１１１の一端１１１ａに設けられたセンサマグネット４１の磁気の変化を検出する。これらセンサマグネット４１と磁気検出素子４２とによって、回転軸１１１（ロータ）の回転位置を検出する回転位置検出センサ４３が構成される。
【００３７】
また、回路基板９には、ハウジング側端子ユニット４４が設けられている。ハウジング側端子ユニット４４は、複数のハウジング側端子４５と、これらハウジング側端子４５を一体化させる樹脂モールド体４６と、を備えている。樹脂モールド体４６に各ハウジング側端子４５が埋設されることにより、複数のハウジング側端子４５が互いに絶縁された状態で一体化される。
各ハウジング側端子４５は、軸方向からみて径方向に長くなるように屈曲延出されている。ハウジング側端子４５の長手方向両端は、樹脂モールド体４６から露出されている。各ハウジング側端子４５の一端４５ａは、回路基板９と軸方向で対向する位置に配置されている。各ハウジング側端子４５の他端４５ｂは、コネクタ部６０側に突出されている。
【００３８】
各ハウジング側端子４５の回路基板９側の一端４５ａは、モータ部４から延びる給電端子４ａに接続されている。これにより、回路基板９とモータ部４の図示しないコイルとが電気的に接続される。
各ハウジング側端子４５のコネクタ部６０側の他端４５ｂには、樹脂モールド体４６から軸方向に沿って突出するハウジング側舌片部４７が形成されている。ハウジング側舌片部４７のコネクタ部６０側の面は、コネクタ部６０の後述するコネクタ側端子８３のコネクタ側接続面９２ａと当接するハウジング側接続面４７ａとされている。
【００３９】
制御ケース７は、樹脂により形成されている。制御ケース７は、モータ部４とは反対側に開口部１１ａを有する箱状のハウジング１１と、ハウジング１１の開口部１１ａを閉塞する板状のカバー１２と、を備えている。ハウジング１１は、軸方向からみて略四角形状に形成されている。ハウジング１１に、ホルダ８及び回路基板９が収納される。ハウジング１１の底部１１ｂは、モータケース６の開口部６ｂに対応する大部分が開口されている。これによりハウジング１１の内部とモータケース６の内部とが連通される。カバー１２は、ボルト１３によってハウジング１１に締結固定されている。
【００４０】
図３は、ハウジング１１を開口部１１ａ側からみた斜視図である。
図１、図３に示すように、ハウジング１１の周壁１１ｃのうち、コネクタ部６０側を向く側面（Ｙ方向の上面、請求項における第１面に相当）１１ｄには、コネクタ部６０側に、コネクタ接続口４８が一体成形されている。コネクタ接続口４８は、ハウジング１１の側面１１ｄからコネクタ部６０に向かって（Ｙ方向に沿って）突出するベース部５１と、ベース部５１から突出する円筒部５２と、が一体成形されたものである。ベース部５１はＹ方向からみてＸ方向に長い略長方形状に形成されている。ベース部５１の長手方向（Ｘ方向）の両端は、ハウジング１１の側面１１ｄから滑らかに隆起する曲線状に形成されている。この曲線状に形成されているうちの大部分に、Ｘ方向が法線方向となる平坦面５１ａが形成されている。
【００４１】
また、コネクタ接続口４８には、円筒部５２の形状に対応するように、この円筒部５２とベース部５１との全体に渡ってＹ方向を軸方向とする段付き円筒内周面５３が形成されている。段付き円筒内周面５３は、ベース部５１に対応する箇所に形成されたハウジング側インロー部５４と、ベース部５１と円筒部５２との境界に形成された段差部５６と、円筒部５２に対応する箇所に形成され、ハウジング側インロー部５４よりも段差部５６を介して拡径形成されたハウジング側シール部５５と、により構成されている。段差部５６には、Ｏリング５７（図１参照）が装着される。Ｏリング５７は、コネクタ接続口４８とコネクタ部６０との間のシール性を確保するためのものである。
【００４２】
（コネクタ部）
図４は、下方からみたコネクタ部６０の斜視図である。図５は、上方からみたコネクタ部６０の斜視図である。
図１、図４、図５に示すように、コネクタ部６０は、樹脂により形成されている。コネクタ部６０は、略円板状のベース部６１と、ベース部６１の制御部４０側に突出形成されたハウジング接続口６２と、ベース部６１の制御部４０とは反対側に突出形成された外部コネクタ接続部６３と、ベース部６１、ハウジング接続口６２、及び外部コネクタ接続部６３の一部に埋設されたコネクタ側端子ユニット８０と、を備えている。
【００４３】
ベース部６１の外周面で、かつ制御部４０とは反対側には、段差部６１ａを介して縮径された縮径部６５が形成されている。この縮径部６５の段差部６１ａとは反対側の端面６５ａに、外部コネクタ接続部６３が突出されている。
また、ベース部６１は、Ｙ方向でハウジング１１の側面１１ｄと対向する端面（請求項における第２面に相当）６１ｂを有している。この端面６１ｂの径方向中央からハウジング接続口６２が突出されている。ベース部６１の端面６１ｂには、ハウジング接続口６２の周囲を取り囲むように、複数の凹部６４が形成されている。凹部６４は、コネクタ部６０の軽量化を図る役割を有するとともに、コネクタ部６０に肉厚を全体的に均一にしてコネクタ部６０の成形性を向上させる役割を有する。
【００４４】
ハウジング接続口６２は、Ｙ方向に沿う円筒状に形成されている。ハウジング接続口６２は、ベース部６１の端面６１ｂから立ち上がるコネクタ側シール部６６と、コネクタ側シール部６６の先端に一体成形されたコネクタ側インロー部６７と、からなる。これらコネクタ側シール部６６とコネクタ側インロー部６７とは、同軸上で、かつ同一面上に形成されている。つまり、コネクタ側シール部６６の外径とコネクタ側インロー部６７の外径とは同一径である。ハウジング接続口６２の外径（コネクタ側シール部６６の外径及びコネクタ側インロー部６７の外径）は、ハウジング１１のコネクタ接続口４８におけるハウジング側インロー部５４の内径と同一か又は若干小さい程度である。
【００４５】
ベース部６１の端面６１ｂには、ハウジング接続口６２を挟んで両側に脚部６８ａ，６８ｂが一体成形されている。２つの脚部６８ａ，６８ｂはハウジング接続口６２を中心に対称に形成されたものであり、基本的構成は同一である。このため、以下の説明では、２つの脚部６８ａ，６８ｂのうちの一方の脚部６８ａのみについて説明し、他方の脚部６８ｂについては一方の脚部６８ａと同一符号を付して説明を省略する。その他、他方の脚部６８ｂについては、必要に応じて説明する。
【００４６】
脚部６８ａは、ベース部６１の端面６１ｂから制御部４０側に向かって突出する脚部本体７１と、脚部本体７１の制御部４０側の先端からハウジング接続口６２とは反対側に突出する固定部７２と、が一体成形されたものである。脚部本体７１は、Ｙ方向からみて軸方向に長い長方形状に形成されている。また、脚部本体７１は、短手方向における側面の法線方向がＸ方向に沿うように配置されている。脚部本体７１のハウジング接続口６２側を向く内側面７１ａには、Ｙ方向に沿う２つの位置決めリブ７３が突出形成されている。
【００４７】
ここで、２つの脚部６８ａ，６８ｂに形成されている位置決めリブ７３の間の長さＬ１は、ハウジング１１のベース部５１に形成されている２つの平坦面５１ａの間の長さＬ２（図７参照）と同一か又は若干大きい程度である。
また、脚部本体７１の先端には、肉盗み部７１ｃが凹設されている。肉盗み部７１ｃは、コネクタ部６０の軽量化を図る役割を有するとともに、コネクタ部６０に肉厚を全体的に均一にしてコネクタ部６０の成形性を向上させる役割を有する。
【００４８】
脚部本体７１の先端に一体成形された固定部７２は、軸方向及びＸ方向に沿う平板状に形成されている。固定部７２の制御部４０側の平坦面７２ａは、脚部本体７１の先端面７１ｂと同一平面状に形成されている。固定部７２のハウジング接続口６２とは反対側の先端には、略半円形状の丸面取り部７２ｂが形成されている。固定部７２には、厚さ方向（Ｙ方向）に貫通する貫通孔７２ｃが形成されている。この貫通孔７２ｃに、フランジ付きカラー７４が嵌合されている。
【００４９】
フランジ付きカラー７４のフランジ部７５は、固定部７２の平坦面７２ａに当接されている。これにより、固定部７２に対するフランジ付きカラー７４の位置決めが行われる。フランジ付きカラー７４には、ボルト（請求項における固定部材に相当）７０（図７参照）が挿通される。このボルト７０によって、制御部４０のハウジング１１にコネクタ部６０が締結固定される。フランジ付きカラー７４のフランジ部７５における制御部４０側に露出された平坦面は、ハウジング１１にコネクタ部６０を締結固定する際、ハウジング１１の側面１１ｄに当接される脚部側当接面７５ａとされる。
【００５０】
外部コネクタ接続部６３には、図示しない外部電源から延びる外部コネクタが接続される。外部コネクタ接続部６３は、断面略Ｌ字状であり、ベース部５１における縮径部６５の端面６５ａからＹ方向に沿って突出された首部７６と、首部７６のベース部５１とは反対側端から軸方向に沿って屈曲延出された外部コネクタ接続口７７と、が一体成形されたものである。
【００５１】
首部７６は、Ｘ方向及びＹ方向に沿う平板状に形成されている。首部７６のモータ装置２側の平坦面７６ａには、３本の補強リブ７８が一体成形されている。各補強リブ７８は、首部７６における平坦面７６ａの全体に渡ってＹ方向に沿って形成されている。また、各補強リブ７８は、首部７６と縮径部６５の端面６５ａとに跨るように形成されている。補強リブ７８は、Ｘ方向からみて外部コネクタ接続口７７に向かうに従って先細りとなるように略三角形状に形成されている。
【００５２】
外部コネクタ接続口７７は、四角筒状に形成されている。また、外部コネクタ接続口７７は、軸方向からみてＸ方向に長い長方形状に形成されている。外部コネクタ接続口７７内には、コネクタ側端子ユニット８０の外部接続用舌片部９３が露出されている。
【００５３】
図６は、コネクタ側端子ユニット８０の斜視図である。
図１、図５、図６に示すように、コネクタ側端子ユニット８０は、コネクタ部６０を成形する際に、ベース部６１、ハウジング接続口６２、及び外部コネクタ接続部６３の一部に埋設される。コネクタ側端子ユニット８０は、Ｘ方向及びＹ方向に沿う平板状で、かつＹ方向に長い樹脂製のプリモールド体８２と、プリモールド体８２に埋設された複数（本実施形態では４本）のコネクタ側端子８３と、を備えている。
【００５４】
プリモールド体８２は、Ｘ方向及びＹ方向に沿う平板状で、かつＹ方向に長い本体部８４と、本体部８４における長手方向のハウジング接続口６２側の端部に一体成形された円柱状のハウジング接続口嵌合部８５と、本体部８４における長手方向の外部コネクタ接続部６３側の端部に一体成形された外部コネクタ接続口嵌合部８６と、を備えている。
【００５５】
本体部８４の長手方向（Ｙ方向）中央よりも外部コネクタ接続口嵌合部８６側には、２の開口部８９が形成されている。２つの開口部８９は、軸方向（本体部８４の厚さ方向）からみてＹ方向に長い長方形状に形成されている。２つの開口部８９は、Ｘ方向に並んで配置されている。２つの開口部８９を介してコネクタ側端子８３の一部が露出されている。開口部８９は、プリモールド体８２に複数のコネクタ側端子８３をインサート成形した後、各コネクタ側端子８３を分断するために用いられる（詳細は後述する）。
【００５６】
本体部８４における軸方向でモータ装置２とは反対側の平坦面（請求項における一面に相当）８４ａには、ハウジング接続口嵌合部８５側の端部に、立ち上がり壁８７が一体成形されている。この立ち上がり壁８７と平坦面８４ａとに跨るように、乱流発生凸部８８が突出形成されている。
乱流発生凸部８８は、ベース部６１、ハウジング接続口６２、及び外部コネクタ接続部６３を成形する際、意図的に樹脂の流れを乱すことによってベース部６１、ハウジング接続口６２、及び外部コネクタ接続部６３にウェルドが発生してしまうことを抑制する役割を有する。なお、ウェルドとは、樹脂の流れの合流部分に発生する線状の模様のことをいう。
【００５７】
乱流発生凸部８８は、本体部８４の長手方向略中央から立ち上がり壁８７に至る間に形成されている。乱流発生凸部８８は、軸方向からみて（平坦面８４ａの法線方向からみて）略Ｔ字状に形成されている。すなわち、乱流発生凸部８８は、立ち上がり壁８７から外部コネクタ接続口嵌合部８６側にＹ方向に沿って延出するＹ方向延出部８８ａと、Ｙ方向延出部８８ａの外部コネクタ接続口嵌合部８６側の端部からＸ方向に沿って延出するＸ方向延出部８８ｂと、が一体成形されたものである。
【００５８】
ハウジング接続口嵌合部８５は、立ち上がり壁８７の乱流発生凸部８８とは反対側の面８７ａに一体成形されている。ハウジング接続口嵌合部８５は、軸方向がＹ方向に沿うように略円柱状に形成されている。ハウジング接続口嵌合部８５の外径は、ハウジング接続口６２の内径と同一である。
【００５９】
外部コネクタ接続口嵌合部８６は、外部コネクタ接続口７７の形状に対応するように形成されている。外部コネクタ接続口嵌合部８６は、本体部８４の平坦面８４ａから若干突出するように形成されている。外部コネクタ接続口嵌合部８６は、外部コネクタ接続口７７の根本に埋設されている。
【００６０】
ここで、プリモールド体８２には、ハウジング接続口嵌合部８５から本体部８４を経て外部コネクタ接続口嵌合部８６に至る間に呼吸路９０が形成されている。呼吸路９０は、ハウジング接続口嵌合部８５の端面８５ａに開口されているとともに、外部コネクタ接続口嵌合部８６の端面８６ａに開口されている。呼吸路９０は、コネクタ部６０を介して制御部４０の内部（モータ装置２の内部）と外部とを連通する。これにより、電動ポンプ１内の圧力が高まってしまうことを防止できる。
【００６１】
コネクタ側端子８３は、プリモールド体８２の長手方向（Ｙ方向）全体に渡って屈曲延出された端子本体９１と、端子本体９１のハウジング接続口嵌合部８５側の端部に設けられたコネクタ側舌片部（請求項における舌片部に相当）９２と、端子本体９１の外部コネクタ接続口嵌合部８６側の端部に設けられた外部接続用舌片部９３と、が一体成形されたものである。
各端子本体９１は、本体部８４の開口部８９から一部が露出されるように配置されている。各端子本体９１は、本体部８４の開口部８９から露出する箇所に、切断部９４ａが形成されている。切断部９４ａは、各端子本体９１が連結された連結部９４を切断することにより、形成される。切断部９４ａは、プリモールド体８２に複数のコネクタ側端子８３をインサート成形した後に形成される（詳細は後述する）。
【００６２】
端子本体９１のハウジング接続口嵌合部８５側の端部は、ハウジング接続口嵌合部８５の端面８５ａからＹ方向に沿って突出されている。この突出された端子本体９１の端部に、コネクタ側舌片部（請求項における舌片部に相当）９２が屈曲延出されている。コネクタ側舌片部９２は、端子本体９１の端部から軸方向に沿うように屈曲延出されつつ、先端に向かうに従って端子本体９１から離間する方向に向かって若干傾倒されている。コネクタ側舌片部９２の制御部４０側の面は、ハウジング側舌片部４７のハウジング側接続面４７ａと当接するコネクタ側接続面９２ａとされている。
【００６３】
端子本体９１の外部コネクタ接続口嵌合部８６側の端部は、外部コネクタ接続口嵌合部８６の根本に位置されている。この端子本体９１の外部コネクタ接続口嵌合部８６側の端部に、外部接続用舌片部９３が軸方向に沿って屈曲延出されている。外部接続用舌片部９３の先端が、外部コネクタ接続口７７内に突出され、露出されている。外部接続用舌片部９３と図示しない外部コネクタの端子とが接続されることにより、コネクタ部６０に外部電源が供給される。
【００６４】
図７は、図１のＡ−Ａ線に沿う断面図である。
図１、図７に示すように、コネクタ部６０は、脚部６８ａ，６８ｂに設けられたフランジ付きカラー７４の脚部側当接面７５ａがハウジング１１の側面１１ｄに当接され、ボルト７０によってハウジング１１に締結固定される。具体的には、固定部７２のハウジング１１とは反対側からフランジ付きカラー７４にボルト７０が挿入され、このボルト７０がハウジング１１の側面１１ｄに形成された雌ネジ部（請求項における固定穴に相当）１１ｅ（図３参照）に螺合される。これにより、ハウジング１１にコネクタ部６０が締結固定される。ハウジング１１の側面１１ｄのうち、雌ネジ部１１ｅが形成され、コネクタ部６０の脚部側当接面７５ａが当接される箇所は、ハウジング側当接面１１ｆとされる。
【００６５】
ハウジング１１にコネクタ部６０が締結固定された状態では、ハウジング１１に形成されているベース部５１のＸ方向両側にコネクタ部６０の２つの脚部６８ａ，６８ｂが配置される。２つの脚部６８ａ，６８ｂに形成されている位置決めリブ７３の間の長さＬ１は、ハウジング１１のベース部５１に形成されている２つの平坦面５１ａの間の長さＬ２（図７参照）と同一か又は若干大きい程度であるので、ハウジング１１のベース部５１に形成されている平坦面５１ａに、脚部６８ａ，６８ｂの位置決めリブ７３が当接される。これにより、ハウジング１１に対するコネクタ部６０の位置決めが行われる。
【００６６】
ハウジング１１にコネクタ部６０が締結固定された状態では、ハウジング１１のハウジング側端子４５に設けられたハウジング側接続面４７ａと、コネクタ部６０のコネクタ側端子８３に設けられたコネクタ側接続面９２ａとが当接される。
ここで、ハウジング側接続面４７ａを有するハウジング側舌片部４７は、樹脂モールド体４６から軸方向に沿って突出している。一方、コネクタ側接続面９２ａを有するコネクタ側舌片部９２は、先端に向かうに従って端子本体９１から離間する方向に向かって若干傾倒されている。
【００６７】
また、ハウジング１１にコネクタ部６０が締結固定された状態では、ハウジング１１のコネクタ接続口４８に形成されている段付き円筒内周面５３のうち、ハウジング側インロー部５４に、コネクタ部６０のハウジング接続口６２のうち、コネクタ側インロー部６７が嵌合される。同時に、ハウジング側シール部５５に対応する位置に、コネクタ側シール部６６が位置される。
【００６８】
ここで、ハウジング接続口６２を構成するコネクタ側シール部６６とコネクタ側インロー部６７とは、同軸上で、かつ同一面上に形成されている。また、ハウジング接続口６２の外径は、ハウジング側インロー部５４の内径と同一か又は若干小さい程度である。このため、ハウジング側インロー部５４にコネクタ側インロー部６７が嵌合される一方、ハウジング側シール部５５とコネクタ側シール部６６との間には、コネクタ接続口４８の段差部５６の分だけ隙間が形成される。この隙間は、Ｏリング５７を取り付けるスペースとして機能している。これにより、ハウジング側シール部５５とコネクタ側シール部６６との間にＯリング５７を取り付けることができ、コネクタ接続口４８とハウジング接続口６２との間のシール性が確保される。
【００６９】
また、ハウジング１１にコネクタ部６０が締結固定された状態において、コネクタ部６０における脚部６８ａ，６８ｂの脚部側当接面７５ａとコネクタ側インロー部６７の先端（コネクタ側インロー部６７におけるコネクタ側シール部６６とは反対側の端部）との間の距離をＬａとし、ハウジング１１におけるハウジング側当接面１１ｆとコネクタ接続口４８の先端（ハウジング側シール部５５の先端）との間の距離をＬｂとしたとき、距離Ｌａ，Ｌｂは、
Ｌａ＜Ｌｂ  ・・・（１）
を満たしている。
【００７０】
（コネクタ部の成形方法）
次に、図８に基づいて、コネクタ部６０の成形方法について説明する。
図８は、コネクタ部６０の成形方法の説明図である。
コネクタ部６０を成形するにあたり、まず、コネクタ側端子ユニット８０を成形する。この際、コネクタ側端子ユニット８０の成形用の図示しない金型を使用する。この金型に複数のコネクタ側端子８３をセットし、金型に樹脂を流し込むことによりプリモールド体８２を成形する。
【００７１】
ここで、図示しない金型に複数のコネクタ側端子８３をセットする段階では、複数のコネクタ側端子８３は連結部９４（図６参照）によって連結されている。このため、図示しない金型内で各コネクタ側端子８３がばらつくことがなく、金型内に容易に複数のコネクタ側端子８３をセットできる。
プリモールド体８２を成形した後、プリモールド体８２の開口部８９を介して露出する連結部９４を、図示しない工具を用いて切断する。これにより、連結部９４に切断部９４ａが形成される。切断部９４ａを形成することにより、各コネクタ側端子８３が分断される。このため、各コネクタ側端子８３が互いに絶縁された状態でプリモールド体８２に保持される。
【００７２】
コネクタ側端子ユニット８０を成形した後、図８に示すように、金型１２０にコネクタ側端子ユニット８０をセットする。
ここで、金型１２０は、上型１２１と、下型１２２と、上型１２１と下型１２２との間に設けられたスライドコア１２３と、を備えている。上型１２１及び下型１２２には、それぞれ入れ子１２１ａ，１２２ａが設けられている。これら入れ子１２１ａ，１２２ａにより、コネクタ部６０のベース部６１の外周面を成形する。また、上型１２１及び下型１２２により、外部コネクタ接続部６３を成形する。
【００７３】
スライドコア１２３は、ハウジング接続口６２を成形する。つまり、ハウジング接続口６２の外周面（コネクタ側シール部６６及びコネクタ側インロー部６７）には、金型１２０のパーティングラインが設定されない。スライドコア１２３と上型１２１及び下型１２２とのパーティングラインＰＬは、ベース部６１の端面６１ｂに設定される。金型１２０に樹脂を流し込むことにより、ベース部６１、ハウジング接続口６２、及び外部コネクタ接続部６３が成形される。これにより、コネクタ部６０の成形が完了する。
【００７４】
ここで、コネクタ部６０を成形するにあたり、金型１２０にはコネクタ側端子ユニット８０がセットされるので、金型１２０によって複数のコネクタ側端子８３を位置決め、支持する必要がない。このため、ハウジング接続口６２の外周面に金型１２０のパーティングラインを設定することなく、ベース部６１の端面６１ｂにパーティングラインＰＬを設定することが可能となる。
また、コネクタ側端子ユニット８０には、乱流発生凸部８８が形成されている。金型１２０に樹脂が流れ込む際、乱流発生凸部８８に到達した樹脂は流れる方向が乱れる。このため、コネクタ部６０にウェルドが形成されにくい。
【００７５】
また、コネクタ部６０には、首部７６と縮径部６５の端面６５ａとに跨るように補強リブ７８が形成されている。補強リブ７８は、Ｘ方向からみて外部コネクタ接続口７７に向かうに従って先細りとなるように略三角形状に形成されている。このため、外部コネクタ接続部６３が断面略Ｌ字状であっても、樹脂流れが悪くなることがない。コネクタ部６０全体に樹脂がスムーズに満遍なく行き渡る。なお、金型１２０のゲート位置Ｐ（図４参照）は、首部７６と外部コネクタ接続口７７と接続部であって、首部７６の平坦面７６ａ側である。
【００７６】
（コネクタ部の組み付け）
次に、ハウジング１１へのコネクタ部６０の組み付けについて説明する。
まず、ハウジング１１のコネクタ接続口４８にコネクタ部６０の脚部６８ａ，６８ｂを向ける。そして、脚部６８ａ，６８ｂの間に、ハウジング１１のベース部５１を嵌め込むように、ハウジング１１へとコネクタ部６０を接近させる。この際、脚部６８ａ，６８ｂの脚部側当接面７５ａとコネクタ側インロー部６７の先端との間の距離Ｌａ、及びハウジング１１のハウジング側当接面１１ｆとコネクタ接続口４８の先端との間の距離Ｌｂは、上記式（１）を満たしている。このため、ハウジング１１の円筒部５２（段付き円筒内周面５３）にコネクタ部６０のハウジング接続口６２が嵌合されるよりも先に、コネクタ部６０の脚部６８ａ，６８ｂ間にハウジング１１のベース部５１が嵌り込む。
【００７７】
すると、ベース部５１の平坦面５１ａに脚部６８ａ，６８ｂの位置決めリブ７３が当接され、ハウジング１１に対するコネクタ部６０の向きが決定される。この状態でハウジング１１の側面１１ｄにコネクタ部６０を押し込んでいくと、ハウジング１１の円筒部５２にコネクタ部６０のハウジング接続口６２がスムーズに嵌合される。さらに、ハウジング１１の側面１１ｄにコネクタ部６０を押し込んでいくと、ハウジング１１のハウジング側当接面１１ｆに脚部６８ａ，６８ｂの脚部側当接面７５ａが当接される。そして、ハウジング側端子４５のハウジング側接続面４７ａとコネクタ側端子８３のコネクタ側接続面９２ａとが当接され、これらハウジング側端子４５とコネクタ側端子８３とが接続される。
【００７８】
図９は、ハウジング側端子４５とコネクタ側端子８３とが接続されるまでの経過を示す説明図である。
ここで、ハウジング側接続面４７ａを有するハウジング側舌片部４７は、樹脂モールド体４６から軸方向に沿って突出している。一方、コネクタ側接続面９２ａを有するコネクタ側舌片部９２は、先端に向かうに従って端子本体９１から離間する方向に向かって若干傾倒されている。
【００７９】
このため、図９に示すように、コネクタ側端子８３に向かってハウジング側端子４５が接近していく過程では（矢印Ｙ１参照）、ハウジング側接続面４７ａ及びコネクタ側接続面９２ａは、ハウジング側端子４５及び端子本体９１側が開口するようにハウジング側接続面４７ａとコネクタ側接続面９２ａとの間に角度を有する。ハウジング側接続面４７ａとコネクタ側接続面９２ａとが当接する際は、まず、各舌片部４７，９２の先端同士が最初に当接される。そして、ハウジング側端子ユニット４４とコネクタ側端子ユニット８０との製造誤差により、各舌片部４７，９２の接近度合いが変化する。この接近度合いによってハウジング側接続面４７ａとコネクタ側接続面９２ａとが当接される面積が変化する。つまり、ハウジング側端子４５とコネクタ側端子８３とを接続するにあたり、コネクタ側舌片部９２の傾倒分だけハウジング側端子ユニット４４とコネクタ側端子ユニット８０との製造誤差が許容される。
【００８０】
ハウジング１１のハウジング側当接面１１ｆに脚部６８ａ，６８ｂの脚部側当接面７５ａが当接された後、固定部７２のハウジング１１とは反対側からフランジ付きカラー７４にボルト７０を挿入する。そして、このボルト７０をハウジング１１の側面１１ｄに形成された雌ネジ部１１ｅ（図３参照）に螺合させる。これにより、ハウジング１１にコネクタ部６０が締結固定され、ハウジング１１へのコネクタ部６０の組み付けが完了する。
【００８１】
このように組付けられたコネクタ部６０の外部コネクタ接続口７７に、図示しない外部コネクタが嵌着される。
ここで、外部コネクタ接続口７７を有する外部コネクタ接続部６３は、断面略Ｌ字状に形成されている。つまり、外部コネクタ接続部６３の首部７６は、Ｙ方向に沿って延出されている一方、外部コネクタ接続口７７はＹ方向に沿って延出されている。このため、外部コネクタ接続口７７に、図示しない外部コネクタを嵌着させる際、首部７６に大きな応力がかかる可能性がある。しかしながら、コネクタ部６０には、首部７６と縮径部６５の端面６５ａとに跨るように補強リブ７８が形成されている。補強リブ７８は、Ｘ方向からみて外部コネクタ接続口７７に向かうに従って先細りとなるように略三角形状に形成されている。このため、補強リブ７８によって、首部７６にかかる応力を受け、首部７６が変形してしまうことが防止される。
【００８２】
（電動ポンプの動作）
次に、電動ポンプ１の動作について説明する。
コネクタ部６０の外部コネクタ接続部６３（外部コネクタ接続口７７）に図示しない外部コネクタを嵌着させることにより、コネクタ部６０、制御部４０を介してモータ装置２に電力が供給される。すると、モータ装置２が駆動され、ポンプ部３が駆動される。ポンプ部３が駆動されると、吸入ポート２８、作動室３９を経て吐出ポート２９からオイルＯが吐出される。
【００８３】
この際、ポンプ部３を構成するブラケット２１の端面２１ａには、貫通孔２５と吸入油路３１とを連通するバイパス溝３３が形成されている。このバイパス溝３３により、貫通孔２５と回転軸１７との間のオイルＯが昇圧される前にこのオイルＯが吸入油路３１へと導かれる。このため、貫通孔２５と回転軸１７との間のオイルＯが昇圧されることにより、オイルシール２７を介してモータ装置２側へとオイルＯが侵入してしまうことを防止される。
また、コネクタ部６０には、呼吸路９０が形成されている。この呼吸路９０は、コネクタ部６０を介して制御部４０の内部（モータ装置２の内部）と外部とを連通するので、電動ポンプ１内の圧力が高まってしまうことが防止される。
【００８４】
このように、上述の実施形態では、ハウジング接続口６２を構成するコネクタ側シール部６６とコネクタ側インロー部６７とは、同軸上で、かつ同一面上に形成されている。また、ハウジング接続口６２の外径は、ハウジング側インロー部５４の内径と同一か又は若干小さい程度である。このため、ハウジング側インロー部５４にコネクタ側インロー部６７が嵌合される一方、ハウジング側シール部５５とコネクタ側シール部６６との間には、コネクタ接続口４８の段差部５６の分だけ隙間が形成される。この隙間は、Ｏリング５７を取り付けるスペースとして機能している。これにより、ハウジング側シール部５５とコネクタ側シール部６６との間にＯリング５７を取り付けることができ、コネクタ接続口４８とハウジング接続口６２との間のシール性が確保される。また、コネクタ側シール部６６とコネクタ側インロー部６７とが同軸上で、かつ同一面上に形成されるので、シール性を確保しつつ、コネクタ接続口４８やハウジング接続口６２を省スペースに配置できる。
【００８５】
また、コネクタ接続口４８の段付き円筒内周面５３に、ハウジング接続口６２の外周面を嵌合させている。このように構成することで、コネクタ接続口４８の外周面にハウジング接続口６２を嵌合させる場合と比較してハウジング接続口６２の構成を簡素化できる。
また、コネクタ部６０は、ハウジング接続口６２を挟んで両側からハウジング１１側に突出する脚部６８ａ，６８ｂを有している。この脚部６８ａ，６８ｂの脚部側当接面７５ａとハウジング１１のハウジング側当接面１１ｆとを当接させ、ハウジング１１の雌ネジ部１１ｅにボルト７０を螺合させることにより、ハウジング１１にコネクタ部６０を締結固定させている。このため、ハウジング１１にコネクタ部６０が安定して配置され、ハウジング１１にコネクタ部６０が強固に固定される。
【００８６】
この際、コネクタ接続口４８にハウジング接続口６２が嵌合される。Ｏリング５７によってコネクタ接続口４８とハウジング接続口６２との間がシールされるハウジング側シール部５５は、コネクタ接続口４８の先端側に配置されている。このため、コネクタ接続口４８の先端側からＯリング５７を容易に組み付けることができ、コネクタ部６０の組み付け性も向上できる。また、コネクタ接続口４８の先端側にＯリング５７が配置されるので、コネクタ接続口４８の根本側にＯリング５７を配置する場合と比較して、ハウジング１１とコネクタ部６０との間に塵埃等が溜まってしまうことをできる限り防止できる。
【００８７】
また、脚部６８ａ，６８ｂの脚部側当接面７５ａとコネクタ側インロー部６７の先端との間の距離Ｌａ、及びハウジング１１のハウジング側当接面１１ｆとコネクタ接続口４８の先端との間の距離Ｌｂは、上記式（１）を満たしている。このため、ハウジング１１の円筒部５２（段付き円筒内周面５３）にコネクタ部６０のハウジング接続口６２が嵌合されるよりも先に、コネクタ部６０の脚部６８ａ，６８ｂ間にハウジング１１のベース部５１を嵌め込むことができる。つまり、ハウジング１１の円筒部５２にハウジング接続口６２が嵌合される直前で、円筒部５２とハウジング接続口６２との心出しが完了される。このため、円筒部５２にハウジング接続口６２をスムーズに嵌合させることができ、コネクタ部６０の組つけ時にＯリング５７が損傷してしまうことも防止できる。よって、信頼性の高い電動ポンプ１を提供できる。
【００８８】
また、コネクタ接続口４８のベース部５１には、平坦面５１ａが形成されている。コネクタ部６０の脚部６８ａ，６８ｂには、平坦面５１ａに当接される位置決めリブ７３が形成されている。これら平坦面５１ａと位置決めリブ７３とにより、ハウジング１１に対するコネクタ部６０の向きを確実に決定でき、コネクタ部６０の組み付け性をより確実に向上できる。
【００８９】
また、コネクタ部６０の外部コネクタ接続部６３は、Ｘ方向及びＹ方向に沿う平板状の首部７６と、首部７６から軸方向に沿って屈曲延出された外部コネクタ接続口７７と、を備えている。このように、ハウジング１１のハウジング側端子ユニット４４の延出方向に対して直交する方向に外部コネクタ接続口７７を有しているので、図示しない外部コネクタの接続方向をハウジング側端子ユニット４４の延出方向とは異なる方向に設定できる。つまり、外部コネクタの接続方向の設定自由度を高めることができる。
【００９０】
また、首部７６と縮径部６５の端面６５ａとに跨るように補強リブ７８が形成されている。補強リブ７８は、Ｘ方向からみて外部コネクタ接続口７７に向かうに従って先細りとなるように略三角形状に形成されている。このため、外部コネクタ接続部６３が断面略Ｌ字状であっても、樹脂流れが悪くなることがなく、コネクタ部６０の成形性を向上できる。
外部コネクタ接続口７７に、図示しない外部コネクタを嵌着させる際、首部７６に大きな応力がかかる可能性がある。しかしながら、補強リブ７８によって、首部７６にかかる応力を受け、首部７６が変形してしまうことを確実に防止できる。
【００９１】
また、コネクタ部６０のコネクタ側舌片部９２は、端子本体９１の端部から軸方向に沿うように屈曲延出されつつ、先端に向かうに従って端子本体９１から離間する方向に向かって若干傾倒されている。つまり、ハウジング側接続面４７ａ及びコネクタ側接続面９２ａは、ハウジング側端子４５及び端子本体９１側が開口するようにハウジング側接続面４７ａとコネクタ側接続面９２ａとの間に角度を有する。このため、ハウジング側端子４５とコネクタ側端子８３とを接続するにあたり、コネクタ側舌片部９２の傾倒分だけハウジング側端子ユニット４４とコネクタ側端子ユニット８０との製造誤差を許容できる。よって、ハウジング側端子ユニット４４とコネクタ側端子ユニット８０とを確実に接続させることができる。
【００９２】
また、コネクタ部６０は、コネクタ側端子ユニット８０を備えている。このため、プリモールド体８２によって、複数のコネクタ側端子８３を予め一体化できる。この結果、ベース部６１、ハウジング接続口６２、及び外部コネクタ接続部６３を成形する際、金型１２０内で複数のコネクタ側端子８３を位置決めさせる必要がなく、コネクタ部６０の成形性を向上できる。
また、金型１２０内で複数のコネクタ側端子８３を位置決めさせる必要がないので、ハウジング接続口６２の外周面に金型１２０のパーティングラインを設定することなく、ベース部６１の端面６１ｂにパーティングラインＰＬを設定することが可能になる。このため、ハウジング接続口６２の外周面を高精度に成形することができ、Ｏリング５７の機能を十分に発揮させることができる。
【００９３】
また、プリモールド体８２には、乱流発生凸部８８が形成されている。乱流発生凸部８８は、軸方向からみて（平坦面８４ａの法線方向からみて）略Ｔ字状に形成されている。乱流発生凸部８８によって、金型１２０に樹脂を流し込んだ際、乱流発生凸部８８に到達した樹脂の流れが乱れ、ベース部６１、ハウジング接続口６２、及び外部コネクタ接続部６３にウェルドが形成されてしまうことを防止できる。このため、コネクタ部６０の品質を向上できる。
【００９４】
また、コネクタ部６０には、呼吸路９０が形成されている。この呼吸路９０は、コネクタ部６０を介して制御部４０の内部（モータ装置２の内部）と外部とを連通するので、電動ポンプ１内の圧力が高まってしまうことを防止できる。
【００９５】
また、ポンプ部３を構成するブラケット２１の端面２１ａには、貫通孔２５と吸入油路３１とを連通するバイパス溝３３が形成されている。バイパス溝３３により、貫通孔２５と回転軸１７との間のオイルＯが吸入油路３１へと導かれる。つまり、貫通孔２５と回転軸１７との間のオイルＯが昇圧される前にこのオイルＯが吸入油路３１へと導かれる。このため、貫通孔２５と回転軸１７との間のオイルＯが昇圧されることにより、オイルシール２７を介してモータ装置２側へとオイルＯが侵入してしまうことを防止できる。
【００９６】
なお、本発明は上述の実施形態に限られるものではなく、本発明の趣旨を逸脱しない範囲において、上述の実施形態に種々の変更を加えたものを含む。
例えば、上述の実施形態では、電動ポンプ１は、図示しない自動車に搭載されているミッション等の油圧装置にオイルを供給するためのものである場合について説明した。しかしながら、電動ポンプ１は自動車用に限られるものではなく、さまざまな油圧装置にオイルを供給するためのものとして使用することが可能である。
【００９７】
また、上述の実施形態では、電動ポンプ１にハウジング１１やコネクタ部６０を有する制御装置５が設けられている場合について説明した。しかしながら、これに限られるものではなく、さまざまな電動機の駆動制御を行うものに、ハウジング１１やコネクタ部６０の構成を採用することができる。
また、上述の実施形態では、コネクタ部６０には、首部７６と縮径部６５の端面６５ａとに跨るように３本の補強リブ７８が一体成形されている場合について説明した。しかしながら、これに限られるものではなく、コネクタ部６０に少なくとも１本の補強リブ７８が形成されていればよい。
【００９８】
また、上述の実施形態では、コネクタ部６０には、２つの脚部６８ａ，６８ｂが一体成形されている場合について説明した。しかしながら、これに限られるものではなくコネクタ部６０に、少なくとも１つ脚部が設けられていればよい。また、２つ以上の脚部を設けてもよい。ハウジング１１のベース部５１は、脚部の個数に応じて平坦面５１ａを形成すればよい。
また、上述の実施形態では、脚部６８ａ，６８ｂには、Ｙ方向に沿う２つの位置決めリブ７３が突出形成されている場合について説明した。しかしながら、これに限られるものではなく、脚部６８ａ，６８ｂに、少なくとも１つの位置決めリブ７３が突出形成されていればよく、２つ以上の位置決めリブ７３が突出形成されてもよい。
【００９９】
また、上述の実施形態では、コネクタ接続口４８の内周面（段付き円筒内周面５３）にハウジング接続口６２の外周面を嵌合させる場合について説明した。しかしながら、これに限られるものではなく、コネクタ接続口４８の外周面に、ハウジング接続口６２の内周面を嵌合させるように構成してもよい。この場合、コネクタ接続口４８の段付き円筒内周面５３の構成を、コネクタ接続口４８の外周面に形成する。つまり、ハウジング側シール部５５を、ハウジング側インロー部５４よりも段差部５６を介して縮径形成する。
【０１００】
また、上述の実施形態では、コネクタ側端子ユニット８０のコネクタ側舌片部９２は、端子本体９１の端部から軸方向に沿うように屈曲延出されつつ、先端に向かうに従って端子本体９１から離間する方向に向かって若干傾倒されている場合について説明した。しかしながら、これに限られるものではなく、ハウジング側舌片部４７を、先端に向かうに従ってハウジング側端子４５から離間する方向に向かって傾倒させてもよい。また、コネクタ側舌片部９２及びハウジング側舌片部４７の両者９２，４７を傾倒させてもよい。換言すれば、ハウジング側接続面４７ａ及びコネクタ側接続面９２ａは、ハウジング側端子４５及び端子本体９１側が開口するようにハウジング側接続面４７ａとコネクタ側接続面９２ａとの間に角度を有していればよい。
【０１０１】
また、上述の実施形態では、金型１２０の上型１２１及び下型１２２には、それぞれ入れ子１２１ａ，１２２ａが設けられている場合について説明した。これら入れ子１２１ａ，１２２ａにより、コネクタ部６０のベース部６１の外周面を成形する場合について説明した。しかしながら、これに限られるものではなく、上型１２１及び下型１２２により、直接ベース部６１の外周面を成形してもよい。
【０１０２】
また、上述の実施形態では、コネクタ接続口４８とコネクタ部６０との間のシール性を確保するために、Ｏリング５７を用いた場合について説明した。しかしながら、コネクタ接続口４８とコネクタ部６０との間のシール性を確保できればよい。例えば、Ｏリング５７に代わってオイルシールを設けてもよい。
また、上述の実施形態では、ボルト７０によって、制御部４０のハウジング１１にコネクタ部６０が締結固定される場合について説明した。しかしながら、これに限られるものではなく、制御部４０のハウジング１１にコネクタ部６０が固定できる部材であればよい。例えば、ボルト７０に代わってリベット等を用いてもよい。この場合、ハウジング１１に、雌ネジ部１１ｅに代わってリベット固定用の穴（凹部）を形成する。
【符号の説明】
【０１０３】
１…電動ポンプ、２…モータ装置（電動機）、３…ポンプ部、４…モータ部、４ａ…給電端子、１１…ハウジング、１１ｅ…雌ネジ部（固定穴）、１１ｆ…ハウジング側当接面（第１面）、４５…ハウジング側端子、４７ａ…ハウジング側接続面、４８…コネクタ接続口、５１…ベース部、５１ａ…平坦面、５２…円筒部、５３…段付き円筒内周面、５４…ハウジング側インロー部、５５…ハウジング側シール部、５６…段差部、５７…Ｏリング（シール部材）、６０…コネクタ部（コネクタ）、６１…ベース部、６１ｂ…端面（第２面）、６２…ハウジング接続口、６３…外部コネクタ接続部、６６…コネクタ側シール部、６７…コネクタ側インロー部、６８ａ，６８ｂ…脚部、７０…ボルト（固定部材）、７２ｃ…貫通孔、７３…位置決めリブ、７６…首部、７７…外部コネクタ接続口、７８…補強リブ、８２…プリモールド体、８３…コネクタ側端子、８４…本体部、８４ａ…平坦面（一面）、８８…乱流発生凸部、９１…端子本体、９２…コネクタ側舌片部（舌片部）、９２ａ…コネクタ側接続面、ＰＬ…パーティングライン
【図１】
2020187927.tif 000003
【図２】
2020187927.tif 000004
【図３】
2020187927.tif 000005
【図４】
2020187927.tif 000006
【図５】
2020187927.tif 000007
【図６】
2020187927.tif 000008
【図７】
2020187927.tif 000009
【図８】
2020187927.tif 000010
【図９】
2020187927.tif 000011